(57)【要約】      （修正有）【課題】建築物の天井を最大限の高さまで高めるのに好適であり、かつ、天井スラブに対するダクト取付け作業全体の工数削減とその作業性向上を図り、作業後の取付け状況の確認も容易となる、ダクト支持具を提供する。【解決手段】ダクト支持具１は、天井スラブＣＳに固定されるスラブ固定部２と、スラブ固定部の両側から下方に向けて延びた形態になっている左右のアーム部３Ａ、３Ｂと、各アーム部の先端に設けた左右のバンド固定部４Ａ、４Ｂと、を備え、左右のバンド固定部間にダクトＤが配置された状態、ダクトの下面側にバンド部材５が配置された状態、および、左右のバンド固定部のうち、一方のバンド固定部４Ａに対してバンド部材の一端５Ａが取り付けられ、かつ、他方のバンド固定部４Ｂに対して同バンド部材の他端５Ｂが取り付けられた状態となることで、ダクトが支持される。【選択図】図２
0003224729.tif 000002
【実用新案登録請求の範囲】
【請求項１】
天井スラブに固定されるスラブ固定部と、
前記スラブ固定部の両側から下方に向けて延びた形態になっている左右のアーム部と、
前記各アーム部の先端に設けた左右のバンド固定部と、を備え、
前記左右のバンド固定部間にダクトが配置された状態、該ダクトの下面側にバンド部材が配置された状態、および、前記左右のバンド固定部のうち、一方のバンド固定部に対して前記バンド部材の一端が取り付けられ、かつ、他方のバンド固定部に対して同バンド部材の他端が取り付けられた状態となることで、前記ダクトが支持される構造になっていること
を特徴とするダクト支持具。
【請求項２】
前記バンド部材は、その長さ方向に所定間隔で複数設けた係合穴を備え、
前記バンド固定部は、前記アーム部の下端から下方に向けて延びた形態になっているガイドバーと、前記ガイドバーの表面から立ち上がった形態の軸部と、前記軸部を介して前記ガイドバーに連結されたサイドバーと、を備え、
前記バンド部材の裏側から前記サイドバーの一端を前記バンド部材の係合穴に差し込んだ状態で、前記バンド部材を前記サイドバーに沿ってスライド移動させることにより、前記サイドバーの他端が前記バンド部材の前記係合穴から抜けて前記バンド部材の表側に配置された状態、および、前記バンド部材の前記係合穴と前記バンド固定部の前記軸部とがワンタッチで嵌合した状態になること
を特徴とする請求項１に記載のダクト支持具。
【請求項３】
前記サイドバー表裏面のうち前記ガイドバーと対向する面には、第１のフックが設けられ、
前記バンド部材の前記係合穴と前記バンド固定部の前記軸部とが嵌合した状態になったときには、その嵌合状態の前記係合穴に隣接する別の前記係合穴の縁部に対して、前記第１のフックが引っ掛かること
を特徴とする請求項２に記載のダクト支持具。
【請求項４】
前記ガイドバー表裏面のうち前記サイドバーと対向する面には、凸部が設けられ、
前記凸部は、前記ガイドバーと前記サイドバーとの間に位置する前記バンド部材を前記サイドバーに向かって押し上げる手段として機能し、
前記凸部での押し上げによって、その押し上げ位置より上方に位置する前記隣接の係合穴が前記第１のフックの根元付近に近づくことで、前記隣接の係合穴の縁部から前記第１のフックが外れ難くなること
を特徴とする請求項３に記載のダクト支持具。
【請求項５】
前記バンド部材は、隣り合う２つの前記係合穴間に、小径穴を有し、
前記ガイドバーの表裏面のうち前記サイドバーと対向する面には、第２のフックが設けられ、
前記第２のフックは、前記凸部からみて、前記第１のフックを超えた位置に設けられており、
前記凸部は、前記第２のフックの方向に向けて下り勾配の傾斜面を備え、
前記サイドバーの他端が前記バンド部材の前記係合穴から下方に抜けて前記バンド部材の裏側に出てしまうことで、前記バンド部材全体がスライドした場合は、前記第１のフックが前記バンド部材の前記小径穴に入り込むとともに、前記第１のフックでの押圧によって前記バンド部材が屈曲変形し、これにより前記隣接の係合穴が前記第２のフックの方向に下がることで、前記隣接の係合穴の縁部が前記第２のフックに引っ掛かること
を特徴とする請求項４に記載のダクト支持具。
【考案の詳細な説明】
【技術分野】
【０００１】
本考案は、建物の天井スラブに対して保温材付きフレキシブルダクトのような各種ダクトを取り付ける手段として使用されるダクト支持具に関し、特に、建築物の天井を最大限の高さまで高めるのに好適であり、かつ、天井スラブに対するダクト取付け作業全体の工数削減とその作業性向上を図り、作業後の取付け状況の確認も容易となるものである。
【背景技術】
【０００２】
従来の建物では、その天井裏に、保温材付フレキシブルダクトのようなダクトが配置される場合があり、この種のダクトは、天井スラブに取付けられる。
【０００３】
図９は、天井スラブに対するダクトの従来の取付け構造の説明図である。
【０００４】
図９に示された従来の取付け構造は、天井スラブＣＳに対して図示しないボルトとナットとでスラブ固定金具１００（又は金属製穴明バンド）が取付けられる構造、および、ダクトＤの外周面に吊バンド１０１が巻き付けられ、巻き付けた吊バンド１０１の両端とスラブ固定金具１００とにボルトを通した後、該ボルトとナットとで吊バンド１０１の両端とスラブ固定金具１００とを締め付け固定した構造になっている。このような取付け構造によって取付けられたダクトＤは天井スラブＣＳから吊バンド１０１で吊られた状態になる（例えば、特許文献１の図８を参照）。
【０００５】
ところで、例えば、集合住宅のように階高が低い建物では、前記のようなダクトＤを可能な限り天井スラブＣＳの近くに配置し、天井裏の高さを低くすることにより、天井高を最大限にすることが望まれている。
【０００６】
しかし、前記のような従来の取付け構造では、ボルトとナットとで吊バンド１０１の両端とスラブ固定金具１００とを締め付け固定した部分、すなわち、吊バンド１０１の固定部からその下に吊られているダクトＤまでの範囲でダクトＤ外周の保温材を過度に圧迫しないように一定の角度を保持しなければならないため、ダクトＤと天井スラブＣＳとの間に所定高の空間が必要になり、かかる空間の存在によって建築物の天井を最大限の高さまで高めることができない。
【０００７】
また、前記のような従来の取付け構造によると、天井スラブＣＳに対してボルトとナットとでスラブ固定金具１００を取付ける作業の後に、更に、別のボルトとナットとで吊バンド１０１の両端とスラブ固定金具１００とを締め付け固定する作業を必要とすることから、天井スラブＣＳに対するダクト取付け作業全体の作業工数が多く、その作業工数を極力省力化したいという要請もある。
【０００８】
さらに、従来の取付け構造によると、吊バンド１０１で吊られたダクトＤの上にその吊バンド１０１の固定部（ボルトとナットとで吊バンド１０１の両端とスラブ固定金具１００とを締め付け固定した部分）が位置するため、従来のように、ボルトとナットとで吊バンド１０１の両端とスラブ固定金具１００とを締め付け固定する作業では、その締付け固定の状態を外部から目視で確認することが困難であり、天井スラブＣＳに対するダクトＤの取付け作業性が悪い。また、作業後にボルトの締付けが確実かを目視で確認するのも困難である。
【先行技術文献】
【特許文献】
【０００９】
【特許文献１】特開２０１８−７７００７号公報
【考案の開示】
【考案が解決しようとする課題】
【００１０】
本考案は上述の問題点を解決するためになされたもので、その目的は、建築物の天井を最大限の高さまで高めるのに好適であり、かつ、天井スラブに対するダクト取付け作業全体の工数削減とその作業性向上を図り、作業後の取付け状況の確認も容易となる、ダクト支持具を提供することである。
【課題を解決するための手段】
【００１１】
前記目的を達成するために、本考案は、天井スラブに固定されるスラブ固定部と、前記スラブ固定部の両側から下方に向けて延びた形態になっている左右のアーム部と、前記各アーム部の先端に設けた左右のバンド固定部と、を備え、前記左右のバンド固定部間にダクトが配置された状態、該ダクトの下面側にバンド部材が配置された状態、および、前記左右のバンド固定部のうち、一方のバンド固定部に対して前記バンド部材の一端が取り付けられ、かつ、他方のバンド固定部に対して同バンド部材の他端が取り付けられた状態となることで、前記ダクトが支持される構造になっていることを特徴とする。
【００１２】
前記本考案において、前記バンド部材は、その長さ方向に所定間隔で複数設けた係合穴を備え、前記バンド固定部は、前記アーム部の下端から下方に向けて延びた形態になっているガイドバーと、前記ガイドバーの表面から立ち上がった形態の軸部と、前記軸部を介して前記ガイドバーに連結されたサイドバーと、を備え、前記バンド部材の裏側から前記サイドバーの一端を前記バンド部材の係合穴に差し込んだ状態で、前記バンド部材を前記サイドバーに沿ってスライド移動させることにより、前記サイドバーの他端が前記バンド部材の前記係合穴から抜けて前記バンド部材の表側に配置された状態、および、前記バンド部材の前記係合穴と前記バンド固定部の前記軸部とがワンタッチで嵌合した状態になることを特徴としてもよい。
【００１３】
前記本考案において、前記サイドバー表裏面のうち前記ガイドバーと対向する面には、第１のフックが設けられ、前記バンド部材の前記係合穴と前記バンド固定部の前記軸部とが嵌合した状態になったときには、その嵌合状態の前記係合穴に隣接する別の前記係合穴の縁部に対して、前記第１のフックが引っ掛かることを特徴としてもよい。
【００１４】
前記本考案において、前記ガイドバー表裏面のうち前記サイドバーと対向する面には、凸部が設けられ、前記凸部は、前記ガイドバーと前記サイドバーとの間に位置する前記バンド部材を前記サイドバーに向かって押し上げる手段として機能し、前記凸部での押し上げによって、その押し上げ位置より上方に位置する前記隣接の係合穴が前記第１のフックの根元付近に近づき、前記隣接の係合穴の縁部から前記第１のフックが外れ難くなることを特徴としてもよい。
【００１５】
前記本考案において、前記バンド部材は、隣り合う２つの前記係合穴間に、小径穴を有し、前記ガイドバーの表裏面のうち前記サイドバーと対向する面には、第２のフックが設けられ、前記第２のフックは、前記凸部からみて、前記第１のフックを超えた位置に設けられており、前記凸部は、前記第２のフックの方向に向けて下り勾配の傾斜面を備え、前記サイドバーの他端が前記バンド部材の前記係合穴から下方に抜けて前記バンド部材の裏側に出てしまうことで、前記バンド部材全体がスライドした場合は、前記第１のフックが前記バンド部材の前記小径穴に入り込むとともに、前記第１のフックでの押圧によって前記バンド部材が屈曲変形し、これにより前記隣接の係合穴が前記第２のフックの方向に下がることで、前記隣接の係合穴の縁部が前記第２のフックに引っ掛かることを特徴としてもよい。
【考案の効果】
【００１６】
本考案によると、ダクト支持具の具体的な構造として、前述の通り、スラブ固定部の両側から下方に向けて左右のアーム部が延び、そのアーム部の先端に左右のバンド固定部を設けることで、かかるバンド固定部がダクトの上部側と同レベルの高さに配置される構成を採用した。このため、ダクトとスライブ天井との間を極力狭くすることができ、例えば集合住宅等では、天井裏空間の高さを従来に比べ低くし、天井を高くすることが可能になる等、建築物の天井を最大限の高さまで高めるのに好適なダクト支持具を提供し得る。
【００１７】
また、本考案では、前述の通り、バンド部材の裏側からサイドバーの一端をバンド部材の係合穴に差し込んだ状態で、バンド部材をサイドバーに沿ってスライド移動させることにより、バンド部材の係合穴とバンド固定部の軸部とがワンタッチで嵌合した状態となる構成を採用することができ、かかる構成の採用により、バンド固定部に対するバンド部材の固定作業では、ボルトとナットを用いることなく、前記のような差し込みとスライド移動という一連の関連作業を行うだけであり、ほぼワンタッチでバンド部材の固定を行うことが可能であること、ボルトとナットのような締付け確認作業も不要であることから、天井スラブに対するダクト取付け作業全体の工数削減とその作業性向上を図るのに好適なダクト支持具を提供し得る。
【００１８】
さらに、本考案によると、バンド部材の取付け作業後に確実にバンド部材が固定されているかどうかの確認（作業後の取付け状況の確認）は、サイドバー下部がバンド穴より外側に出ていること、すなわちサイドバーの他端がバンド部材の係合穴より外側に出ていることを確認するだけでよく、作業後の取付け状況の確認も容易となる。この点、従来は、ナットが確実に固定されているかの確認は手で触るしかなく、時間がかかった。
【図面の簡単な説明】
【００１９】
【図１】（ａ）は本発明を適用したダクト支持具の正面図、（ｂ）はその側面図。
【図２】図１のダクト支持具とバンド部材でダクトを支持した状態の説明図。
【図３】図２の矢印Ａ付近の拡大図。
【図４】図１のダクト支持具のバンド固定部に対してバンド部材を固定する作業において、バンド部材の裏側からサイドバーの一端をバンド部材の係合穴に差し込む作業の説明図。
【図５】図４の作業において、バンド部材の裏側からサイドバーの一端をバンド部材の係合穴に差し込んだ直後の状態の説明図。
【図６】図４の作業の後に、バンド部材を図５の矢印Ｂ方向へスライド移動させた状態の説明図。
【図７】サイドバーの他端がバンド部材の係合穴から下方に抜けてバンド部材の裏側に出てしまった状態の説明図。
【図８】バンド部材の平面図。
【図９】天井スラブに対するダクトの従来の取付け構造の説明図。
【考案を実施するための最良の形態】
【００２０】
以下、本考案を実施するための最良の形態について、添付した図面を参照しながら詳細に説明する。
【００２１】
図１（ａ）は本発明を適用したダクト支持具の正面図、同図（ｂ）はその側面図、図２は図１のダクト支持具とバンド部材でダクトを支持した状態の説明図、図３は図２の矢印Ａ付近の拡大図である。また、図４は、図１のダクト支持具のバンド固定部に対してバンド部材を固定する作業において、バンド部材の裏側からサイドバーの一端をバンド部材の係合穴に差し込む作業の説明図、図５は、図４の作業において、バンド部材の裏側からサイドバーの一端をバンド部材の係合穴に差し込んだ直後の状態の説明図、図６は、図４の作業の後に、バンド部材を図５の矢印Ｂ方向へスライド移動させた状態の説明図、図７は、サイドバーの他端がバンド部材の係合穴から下方に抜けてバンド部材の裏側に出てしまった状態の説明図、図８はバンド部材の平面図である。
【００２２】
《ダクト支持具の概要》
図１（ａ）（ｂ）を参照すると、本発明を適用したダクト支持具１（以下「本実施形態のダクト支持具１」という）は、天井スラブＣＳ（図２参照）に固定されるスラブ固定部２と、スラブ固定部２の両側から下方に向けて延びた形態になっている左右のアーム部３Ａ、３Ｂと、各アーム部３Ａ、３Ｂの先端に設けた左右のバンド固定部４Ａ、４Ｂと、を備えている。
【００２３】
そして、図２を参照すると、本実施形態のダクト支持具１では、（１）左右のバンド固定部４Ａ、４Ｂ間にダクトＤ（例えば、周知の保温材付きフレキシブルダクト）が配置された状態、（２）該ダクトＤの下面側にバンド部材５が配置された状態、および、（３）左右のバンド固定部４Ａ、４Ｂのうち、一方のバンド固定部４Ａに対してバンド部材５の一端５Ａが取り付け固定され、かつ、他方のバンド固定部５Ｂに対して同バンド部材５の他端５Ｂが取り付けられた状態となることで、ダクトＤを支持する構造になっている。
【００２４】
《スラブ固定部２の詳細構成》
スラブ固定部２の具体的な構成例として、本実施形態のダクト支持具１では、当該スラブ固定部２が上下面および外周の側面を備える形状、および、その上下面を貫通する２種類の取付け穴２Ａ、２Ｂが設けられる構成を採用している。これらの取付け穴２Ａ、２Ｂは、スラブ固定部２を天井スラブＣＳに固定する際に、例えば吊ボルトやエアガン等の打鋲機を使用できるようにするものである。
【００２５】
前述の吊ボルトを使用する場合は、例えば取付け穴２Ａに対して吊ボルトを挿入し、かつ、スラブ固定部２の上面を天井スラブＣＳの方向に向けた状態で、その吊ボルトの先端外周雄ネジを天井スラブＣＳ側の雌ネジ穴に締付け固定することによって、スラブ固定部２は天井スラブＣＳに固定される。
【００２６】
前述の打鋲機を使用する場合は、例えば天井スラブＣＳに対してスラブ固定部２の上面を当接させた状態で、取付け穴２Ｂを通じて天井スラブＣＳに鋲を打ち込むことにより、スラブ固定部２は天井スラブＣＳに固定される。
【００２７】
スラブ固定部２を天井スラブＣＳに固定する方法については、前述の吊ボルトや打鋲機を使用する方法に限定されることはなく、これら以外の方法でスラブ固定部２を天井スラブＣＳに固定してもよい。
【００２８】
《アーム部３Ａ、３Ｂの詳細構成》
左右のアーム部３Ａ、３Ｂの具体的な構成例として、本実施形態のダクト支持具１においては、スラブ固定部２を中心としてハの字のように左右のアーム部３Ａ、３Ｂが開いた状態となるように形成し、そのハの字の内側、つまり左右のアーム部３Ａ、３Ｂの内側にダクトＤが配置されるように構成してある（図２参照）。
【００２９】
《バンド固定部４Ａ、４Ｂの詳細構成》
図１のダクト支持具１において、左右のバンド固定部４Ａ、４Ｂは、いずれも、図２および図３に示したように、アーム部３Ａ、３Ｂの下端から下方に向けて延びた形態になっているガイドバー４１と、ガイドバー４１の表面から立ち上がった形態の軸部４２と、軸部４２を介してガイドバー４１に連結されたサイドバー４３と、を備えている。
【００３０】
左右のバンド固定部４Ａ、４Ｂにはバンド部材５が取付け固定される（図２および図３を参照）。図８を参照すると、バンド部材５は、弾性変形可能な可撓性を有する素材（例えば、樹脂バンド）で構成されるとともに、係合穴５１を備えている。この係合穴５１はバンド部材５の長さ方向に所定間隔で複数設けられており、また、隣り合う２つの係合穴５１、５１間には、係合穴５１より小径の小径穴５２が設けられている。
【００３１】
バンド部材５をバンド固定部４Ａ、４Ｂに固定するための具体的な構造として、本実施形態のダクト支持具１では、図４および図５に示したように、バンド部材５の裏側からサイドバー４３の一端４３Ａを当該バンド部材５の係合穴５１（５１Ａ）に差し込んだ状態で、そのバンド部材５をサイドバー４３に沿って図５矢印Ｂ方向へスライド移動させることにより、図６のようにサイドバー４３の他端４３Ｂがバンド部材５の係合穴５１（５１Ａ）から抜けてバンド部材５の表側に配置された状態、および、バンド部材５の係合穴５１（５１Ａ）とバンド固定部４Ａの軸部４２がワンタッチで嵌合した状態（図６参照）となるように構成してある。
【００３２】
前記のようなワンタッチ嵌合により、左右のバンド固定部４Ａ、４Ｂに対するバンド部材５の取付けは、完了する。本実施形態のダクト支持具１では、そのように取付けが完了したバンド部材５によりダクトＤを吊ることができる。この際、バンド部材５は、ダクトＤの重量によりガイドバー４１に沿って湾曲し、ダクトＤの荷重は、バンド部材５の係合穴５１（５１Ａ）の縁部がサイドバー４１の付根、すなわち軸部４２に当たることで受ける。
【００３３】
また、本実施形態のダクト支持具１においては、サイドバー４３がバンド部材５の係合穴５１（５１Ａ）から抜け出ることによるバンド部材５の脱落を防止する手段として、サイドバー４３表裏面のうちガイドバー４１と対向する面、すなわちサイドバー４３の裏面に第１のフック６を設けている。
【００３４】
第１のフック６と軸部４２との間隔寸法は、バンド部材５において隣接する２つの係合穴５１（５１Ａ）、５１（５１Ｂ）の間隔に合せて設定されている。かかる設定により、前記のようにバンド部材５の係合穴５１（５１Ａ）とバンド固定部４Ａの軸部４２とが嵌合した状態になったときは、図６に示したように、その嵌合状態の係合穴５１（５１Ａ）に隣接する別の係合穴５１（５１Ｂ）の縁部に対して第１のフック６が引っ掛かることにより、サイドバー４３が係合穴５１（５１Ａ）から抜け出る方向へスライドする動作が抑制され、バンド部材５の脱落は防止される。
【００３５】
以下の説明では、便宜上、前述のような嵌合状態になっている係合穴５１（５１Ａ）を第１の係合穴５１（５１Ａ）といい、これに隣接する前述の別の係合穴５１（５１Ｂ）を第２の係合穴５１（５１Ｂ）という。
【００３６】
さらに、本実施形態のダクト支持具１では、第１のフック６によるバンド部材５の脱落防止効果をより一層高める手段として、ガイドバー４１表裏面のうちサイドバー４３と対向する面、すなわちガイドバー４１の表面に凸部７を設けている。
【００３７】
凸部７は、ガイドバー４１とサイドバー４３との間に位置するバンド部材５をサイドバー４３に向かって押し上げる手段として機能する。凸部７での押し上げによって、その押し上げ位置より上方に位置する第２の係合穴５１（５１Ｂ）が第１のフック６の根元付近に近づくことで、第２の係合穴５１（５１Ｂ）の縁部から第１のフック６が外れ難くなるため、第１のフック６によるバンド部材５の脱落防止効果はより一層高まる。
【００３８】
凸部７の具体的な構成例として、本実施形態のダクト支持具１では、かかる凸部７を軸部４２の近傍に配置する構成、および、凸部７の最先端からサイドバー４３までの距離寸法をバンド部材５の厚さと略同じ寸法に設定する構成を採用しているが、これらに限定されることはない。
【００３９】
例えば、凸部７は、軸部４２から第１のフック６までの距離範囲内において、第１のフック６と干渉しない場所に配置してもよいし、凸部７の最先端からサイドバー４３までの距離寸法は、前述の押し上げ作用、すなわち、第２の穴５１（５１Ｂ）が第１のフック６の根元付近に近づく作用を妨げない範囲内で、適宜変更してもよい。
【００４０】
本実施形態のダクト支持具１においては、バンド部材５の弾性変形によってバンド部材５の係合穴５１（具体的には、第１の係合穴５１（５１Ａ））とバンド固定部４Ａの軸部４２との嵌合状態が解除され、かつ、その第１の係合穴５１（５１Ａ）からサイドバー４３の他端４３Ｂが下方に抜けてバンド部材５の裏側に出ることで、バンド部材５全体がスライド可能となって第１の係合穴５１（５１Ａ）から完全に外れてしまうような場合も想定される。
【００４１】
そこで、前記のようなサイドバー４３全体の外れを防止する対策として、本実施形態のダクト支持具１においては、前述の凸部７を設けた面と同じ面、すなわちガイドバー４１の表面（サイドバー４３と対向する面）に第２のフック８を設けるとともに、この第２のフック８は、当該凸部７からみて、第１のフック６を超えた位置に配置される構成、および、該凸部７は、第２のフック８の方向に向けて下り勾配の傾斜面７Ａを備える構成を採用している。
【００４２】
本実施形態のダクト支持具１では、図７に示したように、サイドバー４３の他端４３Ａがバンド部材５の第１の係合穴５１（５１Ａ）から下方に抜けてバンド部材５の裏側に出てしまい、バンド部材５全体がスライドした場合には、（１）第１のフック６がバンド部材５の小径穴５２に入り込むことにより、バンド部材５全体のスライドが制限されること、および、（２）第１のフック６での押圧によってバンド部材５が凸部７の傾斜面７Ａに沿って屈曲変形し、これにより第２の係合穴５１（５１Ｂ）の位置が第２のフック８の方向に下がって、第２の係合穴５１（５１Ｂ）の縁部が第２のフック８に引っ掛かることにより、バンド部材５全体のスライドが制限されることから、前記のようなサイドバー５全体の外れは防止される。
【００４３】
以上の説明から分かるように、本実施形態のダクト支持具１によると、その具体的な構造として、スラブ固定部２の両側から下方に向けて左右のアーム部３Ａ、３Ｂが延び、そのアーム部３Ａ、３Ｂの先端に左右のバンド固定部４Ａ、４Ｂを設けることにより、かかるバンド固定部４Ａ、４ＢがダクトＤの上部側と同レベルの高さに配置される構成を採用した。このため、図２のようにダクトＤとスライブ天井ＣＳとの間を極力狭くすることができ、例えば集合住宅等では、天井裏空間の高さを従来に比べ低くし、天井を高くすることが可能になる等、建築物の天井を最大限の高さまで高めるのに好適である。
【００４４】
また、本実施形態のダクト支持具１によると、前述の通り、バンド部材５の裏側からサイドバー４３の一端をバンド部材５の係合穴５１（５１Ａ）に差し込んだ状態で、バンド部材５をサイドバー４３に沿ってスライド移動させることにより、バンド部材５の係合穴５１（５１Ａ）とバンド固定部４Ａ、４Ｂの軸部４２とがワンタッチで嵌合した状態となるように構成した。このため、バンド固定部４Ａ、４Ｂに対するバンド部材５の固定作業では、ボルトとナットを用いることなく、前記のような差し込みとスライド移動という一連の関連作業を行うだけであり、ほぼワンタッチでバンド部材５の固定を行うことが可能であること、ボルトとナットのような締付け確認作業も不要であることから、天井スラブに対するダクト取付け作業全体の工数削減とその作業性向上を図れる。
【００４５】
さらに、本実施形態のダクト支持具によると、バンド固定部に対するバンド部材の固定状態は、バンド固定部のサイドバー全体がバンド部材の表側に露出した状態になっていること、このような露出の状態において、バンド部材で吊られたダクトはバンド固定部間に配置された状態になっており、ダクトによってそのような露出の状態が隠れてしまうことはないことから、バンド固定部に対するバンド部材の固定状態を確認する作業も容易である。
【００４６】
本考案は、以上説明した実施形態に限定されるものではなく、本考案の技術的思想内で当分野において通常の知識を有する者により多くの変形が可能である。
【符号の説明】
【００４７】
１  ダクト支持具
２  スラブ固定部
２Ａ、２Ｂ  取付け穴
３Ａ、３Ｂ  アーム部
４Ａ、４Ｂ  バンド固定部
４１  ガイドバー
４２  軸部
４３  サイドバー
４３Ａ  サイドバーの一端
４３Ｂ  サイドバーの他端
５  バンド部材
５１  係合穴
５１Ａ  第１の係合穴
５２Ｂ  第２の係合穴
５２  小径穴
６  第１のフック
７  凸部
７Ａ  傾斜面
８  第２のフック
ＣＳ  天井スラブ
Ｄ  ダクト
【図１】
0003224729.tif 000003
【図２】
0003224729.tif 000004
【図３】
0003224729.tif 000005
【図４】
0003224729.tif 000006
【図５】
0003224729.tif 000007
【図６】
0003224729.tif 000008
【図７】
0003224729.tif 000009
【図８】
0003224729.tif 000010
【図９】
0003224729.tif 000011